(57)【要約】【課題】情報漏洩をより容易に防止すること。【解決手段】情報を記録する記憶装置８と、所定の操作に応答して、記憶装置８が備えている電気回路３３に電気回路３３が壊れる程度に高い規定外電圧を印加する制御装置２、３、５、６、７とを備えている。すなわち、電気回路３３は、規定電圧が印加されているときにその規定電圧を用いて記憶装置８を正常に制御し、その規定外電圧が印加されたときに破損する。このとき、本発明による情報処理装置１０は、記憶装置８が取り外すことが困難であるときであっても、記憶装置８をより速く破壊して情報漏洩をより容易に防止することができる。【選択図】図１
2008152693.tif 000002
【特許請求の範囲】
【請求項１】
情報を記録する記憶装置と、
所定の操作に応答して、前記記憶装置が備える電気回路に前記電気回路が壊れる程度に高い規定外電圧を印加する制御装置
とを具備する情報処理装置。
【請求項２】
請求項１において、
所定電流より大きい電流が前記電気回路に流れることを防止するヒューズ
を更に具備する情報処理装置。
【請求項３】
請求項１または請求項２のいずれかにおいて、
前記電気回路を覆う保護カバー
を更に具備する情報処理装置。
【請求項４】
請求項１〜請求項３のいずれかにおいて、
前記記憶装置は、
ディスクを回転させるモータと、
前記ディスクに接近して前記ディスクに情報を書き込み、または、前記ディスクに接近して前記ディスクから情報を読み出すヘッドを移動させるアクチュエータとを備え、
前記制御回路は、前記モータと前記アクチュエータとを制御し、前記ディスクが回転し、かつ、前記ヘッドが前記ディスクに接近しているときに前記規定外電圧を前記電気回路に印加する
情報処理装置。
【請求項５】
請求項１〜請求項３のいずれかにおいて、
前記記憶装置は、フラッシュＲＯＭである
情報処理装置。
【請求項６】
請求項１〜請求項３のいずれかにおいて、
前記記憶装置は、ＭＯである
情報処理装置。
【発明の詳細な説明】
【技術分野】
【０００１】
本発明は、情報処理装置に関し、特に、内蔵される記憶装置から情報漏洩を防止するときに利用される情報処理装置に関する。
【背景技術】
【０００２】
情報処理装置（たとえば、パーソナルコンピュータ）を廃棄したときには、その情報処理装置に内蔵されるハードディスクドライブ（以下、本明細書中で「ＨＤＤ」と略記される。）から情報漏洩する虞があることが知られている。このような情報漏洩を防止する方法としては、ＨＤＤを情報処理装置から取り外してＨＤＤ単独で衝撃（落下）させることによりそのＨＤＤを物理的に破壊させることが例示される。このような方法は、ＨＤＤが情報処理装置から容易に取り外すことができるときに、有用である。
【０００３】
その情報処理装置からＨＤＤを簡単に取り外すことができないときには、情報処理装置自体を衝撃（落下）させてＨＤＤを物理的に破壊させること、ＨＤＤをＷｉｎｄｏｗｓ（登録商標）上でイニシャライズ（フォーマット）すること、解体業者に依頼してＨＤＤを分解した後に廃棄することが例示される。情報処理装置１０１は、落下させたときに、情報処理装置本体が壊れる場合がある。このとき、情報処理装置１０１は、ＨＤＤが物理的に破壊したかどうかを確認できず、ＨＤＤの衝撃耐圧が大きくＨＤＤが壊れていないときに、情報漏洩に繋がる場合がある。情報処理装置１０２は、ＨＤＤをイニシャライズ（フォーマット）することに時間と手間とがかかる場合があり、さらに、イニシャライズされたＨＤＤから情報を復旧させるアプリケーションが存在し、確実な情報漏洩防止となっていない。情報処理装置１０２は、解体業者に依頼してＨＤＤを分解した後に廃棄するときに、費用が発生する。情報処理装置に内蔵されるＨＤＤは、より容易に、より速く、より安価に、より確実に情報漏洩を防止されることが望まれている。
【０００４】
特開２００５−３０１５４８号公報には、情報処理装置を起動不可状態とすることができるデータ消去装置が開示されている。そのデータ消去装置は、データ消去機能を持つ基本入出力システムによって情報処理装置のデータの消去処理を行うデータ消去装置であって、前記基本入出力システムは、前記データ消去機能を使用して、複数のデータ消去レベルのうちの１つを選択してデータの消去処理が実行可能であり、前記複数のデータ消去レベルの内の最高消去レベルは、前記基本入出力システム自身をも破壊する完全廃棄消去レベルであり、該完全廃棄消去レベルが選択された場合には、前記基本入出力システムは、前記データ消去機能を使用して当該基本入出力システム自身をも破壊して、前記情報処理装置を起動不可能とすることを特徴としている。
【０００５】
特開２００６−１２７５８５号公報には、当該ハードディスク装置を廃棄する際に、簡易な構成で記録されているデータを読取不能にし、情報漏洩を防止するハードディスク装置が開示されている。そのハードディスク装置は、データが記録される記録面を有する記録媒体と、前記記録面よりデータを読み取る読取手段と、を有するハードディスク装置において、前記記録面と接触し、記録面に傷をつける損傷部材と、前記損傷部材を前記記録面と接触しない通常位置に保持する保持部材と、前記保持部材と連動し、前記損傷部材を前記記録面と接触する損傷位置に移動させる切換部材と、を備えることを特徴としている。
【０００６】
【特許文献１】特開２００５−３０１５４８号公報
【特許文献２】特開２００６−１２７５８５号公報
【発明の開示】
【発明が解決しようとする課題】
【０００７】
本発明の課題は、情報漏洩をより容易に防止する情報処理装置を提供することにある。
本発明の他の課題は、情報漏洩を防止する処理の時間がより短い情報処理装置を提供することにある。
本発明のさらに他の課題は、情報漏洩をより確実に防止する情報処理装置を提供することにある。
本発明のさらに他の課題は、情報漏洩を防止するコストがより安価である情報処理装置を提供することにある。
本発明のさらに他の課題は、汎用の記憶装置から情報漏洩することをより容易に防止する情報処理装置を提供することにある。
本発明のさらに他の課題は、情報漏洩を防止する処理を実行するときに、他の電気回路が破損することを防止する情報処理装置を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による情報処理装置（１０）は、情報を記録する記憶装置（８）と、所定の操作に応答して、記憶装置（８）が備えている電気回路（３３）に電気回路（３３）が壊れる程度に高い規定外電圧を印加する制御装置（２、３、５、６、７）とを備えている。すなわち、電気回路（３３）は、規定電圧が印加されているときにその規定電圧を用いて記憶装置（８）を正常に制御し、その規定外電圧が印加されたときに破損する。このとき、本発明による情報処理装置（１０）は、記憶装置（８）が取り外すことが困難であるときであっても、記憶装置（８）をより速く破壊して情報漏洩をより容易に防止することができる。
【００１０】
本発明による情報処理装置（１０）は、所定電流より大きい電流が電気回路（３３）に流れることを防止するヒューズ（１６）をさらに備えている。このとき、本発明による情報処理装置（１０）は、規定外電圧を電気回路（３３）に印加するときに、情報処理装置（１０）が備えている他の回路が破損することを防止することができる。
【００１１】
本発明による情報処理装置（１０）は、電気回路（３３）を覆う保護カバー（３２）をさらに備えている。電気回路（３３）は、規定外電圧が印加されたときに、発火し、発煙し、または、破裂することがある。本発明による情報処理装置（１０）は、規定外電圧を電気回路（３３）に印加するときに、その影響を低減して、情報処理装置（１０）が備えている他の回路が破損することを防止することができる。
【００１２】
記憶装置（８）は、ディスクを回転させるモータと、ディスクに接近してディスクに情報を書き込み、または、ディスクに接近してディスクから情報を読み出すヘッドを移動させるアクチュエータとを備えている。制御装置（２、３、５、６、７）は、モータとアクチュエータとを制御し、ディスクが回転し、かつ、ヘッドがディスクに接近しているときに規定外電圧を電気回路（３３）に印加する。このとき、そのディスクは、ヘッドがディスクに衝突して壊れてしまうことがあり、本発明による情報処理装置（１０）は、情報漏洩をより確実に防止することができる。
【００１３】
記憶装置（８）は、フラッシュＲＯＭであってもよく、または、ＭＯであってもよい。
【発明の効果】
【００１４】
本発明による情報処理装置は、記憶装置を取り出すことを必要としないで、情報漏洩をより容易に防止することができる。
【発明を実施するための最良の形態】
【００１５】
図面を参照して、本発明による情報処理装置の実施の形態を記載する。その情報処理装置１０は、図１に示されているように、情報処理装置本体１と入力装置２とディスプレイ３とを備えている。情報処理装置本体１は、入力装置２とディスプレイ３とに情報伝達可能に電気的に接続されている。入力装置２は、ユーザに操作されることにより情報を生成し、その情報を情報処理装置本体１に出力する。入力装置２としては、キーボード、マウスが例示される。ディスプレイ３は、表示面を備え、情報処理装置本体１により生成された画面をその表示面に表示する。
【００１６】
情報処理装置本体１は、ＣＰＵ５とＲＯＭ６と制御ボード７とＨＤＤユニット８とを備えている。ＣＰＵ５は、情報処理装置本体１にインストールされているコンピュータプログラムを実行して、入力装置２とディスプレイ３とＲＯＭ６と制御ボード７とＨＤＤユニット８とを制御する。ＲＯＭ６は、そのコンピュータプログラムであるＢＩＯＳを記録している。制御ボード７は、ＣＰＵ５により制御され、所定の電圧をＨＤＤユニット８に印加することによりＨＤＤユニット８に電力を供給する。ＨＤＤユニット８は、制御ボード７から供給される電力を用いて動作する。ＨＤＤユニット８は、情報処理装置本体１にインストールされるコンピュータプログラムを記録している。ＨＤＤユニット８は、さらに、ＣＰＵ５により制御されて、ＣＰＵ５により生成された情報を記録し、ＣＰＵ５により要求された情報をＣＰＵ５に出力する。
【００１７】
制御ボード７は、ＬＳＩ１１とインバータ１２とＦＥＴ１４とＦＥＴ１５とヒューズ１６とを備え、複数のノード１７、１８、１９、２０を備えている。ノード１７は、図示されていない電源装置に電気的に接続され、基準電位に対して５Ｖの規定電圧がその電源装置により印加されている。ノード１８は、その電源装置に電気的に接続され、基準電位に対して１２Ｖの規定外電圧がその電源装置により印加されている。ノード２０は、ケーブル２１に電気的に接続されている。ケーブル２１は、制御ボード７とＨＤＤユニット８とを電気的に接続している。
【００１８】
ＬＳＩ１１は、ＣＰＵ５により制御されて信号２２を生成し、ＧＰＩＯを介して信号２２をインバータ１２とＦＥＴ１４とに出力する。信号２２は、”１”（Ｈｉｇｈレベル）または”０”（Ｌｏｗレベル）の一方を示している。インバータ１２は、信号２２に基づいて信号２３を生成する。信号２３は、信号２２が”１”（Ｈｉｇｈレベル）を示すときに”０”（Ｌｏｗレベル）を示し、信号２２が”０”（Ｌｏｗレベル）を示すときに”１”（Ｈｉｇｈレベル）を示している。ＦＥＴ１４は、信号２２が”１”（Ｈｉｇｈレベル）を示すときにノード１７とノード１９とを電気的に接続し、信号２２が”０”（Ｌｏｗレベル）を示すときにノード１７とノード１９とを電気的に切断する。ＦＥＴ１５は、信号２３が”１”（Ｈｉｇｈレベル）を示すときにノード１８とノード１９とを電気的に接続し、信号２３が”０”（Ｌｏｗレベル）を示すときにノード１８とノード１９とを電気的に切断する。ヒューズ１６は、ノード１９とノード２０との間に介設され、ノード１９とノード２０とを電気的に接続している。ヒューズ１６は、ノード１９とノード２０との間に所定の電流より大きい電流が流れたときに、溶解してノード１９とノード２０とを電気的に切断する。ヒューズ１６は、ＨＤＤユニット８がＩＣショートしたときに、その電源装置とＨＤＤユニット８との間に過電流が流れることを防止して、情報処理装置本体１が備える他の回路がその過電流の影響を受けないように、その回路を保護する。
【００１９】
このとき、ノード１９は、ノード１７とノード１８とのうちの一方だけに電気的に接続され、ノード１７とノード１８とは、常時に電気的に切断されている。すなわち、ＨＤＤユニット８には、信号２２が”１”（Ｈｉｇｈレベル）を示すときに５Ｖの規定電圧が印加され、信号２２が”０”（Ｌｏｗレベル）を示すときに１２Ｖの規定外電圧が印加される。
【００２０】
図２は、ＨＤＤユニット８を示している。ＨＤＤユニット８は、ＨＤＤユニット本体３１と保護カバー３２とを備えている。ＨＤＤユニット本体３１は、ＨＤＤ制御ＬＳＩ３３と図示されていないモータとディスクとアクチュエータとヘッドとを備えている。そのモータは、そのディスクを高速回転させる。そのディスクは、磁性体が塗布された磁性面を有している。そのアクチュエータは、そのヘッドをその磁性面の所定の部分に近づける。そのヘッドは、その部分を磁化させることにより情報を書き込んだり、その部分の磁気を検出することにより情報を読み出したりする。ＨＤＤ制御ＬＳＩ３３は、複数のＬＳＩから形成され、ＨＤＤユニット本体３１が有する電気部品面３４に配置されている。ＨＤＤ制御ＬＳＩ３３は、ケーブル２１に電気的に接続され、規定電圧（５Ｖ）が印加されているときに、ＣＰＵ５に制御されてそのモータとアクチュエータとヘッドとを制御する。すなわち、ＨＤＤ制御ＬＳＩ３３は、ＣＰＵ５に制御されて、そのモータを用いてそのディスクを回転させ、そのアクチュエータを用いてヘッドを所定の位置に配置し、そのヘッドを用いてそのディスクのその位置に情報を書き込み、そのヘッドを用いてそのディスクのその位置から情報を読み出す。
【００２１】
ＨＤＤユニット８は、ＣＰＵ５により制御されてモードが切り換えられる。そのモードは、書き込み（読み出し）モードとリトラクトモードとを含んでいる。ＨＤＤユニット８は、書き込み（読み出し）モードであるときに、そのディスクが高速に回転し、そのヘッドがそのディスクの磁性面に接近している。ＨＤＤユニット８は、書き込み（読み出し）モードであるときに、ＣＰＵ５により生成された情報をそのディスクに書き込み、ＣＰＵ５により要求された情報をそのディスクから読み出す。ＨＤＤユニット８は、そのヘッドがそのディスクの磁性面に接近している場合で、そのディスクの回転が停止したときに、そのヘッドが磁性面に衝突して、そのディスクとヘッドとが物理的に壊れてしまい修復不能になってしまう。ＨＤＤユニット８は、リトラクトモードであるときに、そのディスクの回転が止まっても、そのヘッドがそのディスクの磁性面に接触しないように、そのヘッドを安全な場所に配置する。
【００２２】
ＨＤＤ制御ＬＳＩ３３は、制御ボード７により、規定電圧より高い電圧（１２Ｖ）が印加されるときに電気的に破壊される。ＨＤＤ制御ＬＳＩ３３は、１２Ｖの規定外電圧を印加されるときに、ＩＣショートし、発火し、発煙し、または、破裂（バースト）することがある。ＨＤＤユニット８は、ＨＤＤ制御ＬＳＩ３３が破壊されたときに、ＨＤＤ制御ＬＳＩ３３を用いてそのモータとアクチュエータとヘッドとを制御することができなくなり、そのディスクに情報を書き込むことができなくなり、そのディスクから情報を読み出すことができなくなる。
【００２３】
保護カバー３２は、電気部品面３４を覆っている。保護カバー３２は、ＨＤＤ制御ＬＳＩ３３が発火し、発煙し、または、破裂（バースト）するときに、情報処理装置本体１が備える他の回路がその影響を受けないように、その回路を保護する。
【００２４】
図３は、ＲＯＭ６に記録されているＢＩＯＳが実行されるときに生成されるＢＩＯＳセットアップメニュー画面４１を示している。そのＢＩＯＳは、情報処理装置本体１の電源が入れられた直後に入力装置２のキーボードの「Ｆ２」キーが押下されたときに起動される。ＢＩＯＳセットアップメニュー画面４１は、ハードディスク名表示欄４２とクラッシュ表示欄４３とを備えている。ハードディスク名表示欄４２には、ＨＤＤユニット８が正常に動作するときにＨＤＤユニット８の名称が表示され、ＨＤＤユニット８が正常に動作しないときに何も表示されない。クラッシュ表示欄４３には、文字列「Ｃｒａｓｈ」が表示される。
【００２５】
情報処理装置１０の動作は、通常の動作と情報漏洩を防止する動作とを備えている。
【００２６】
その通常の動作では、情報処理装置１０は、”１”（Ｈｉｇｈレベル）を示す信号２２をＬＳＩ１１に出力させ、制御ボード７を用いてＨＤＤユニット８に５Ｖの規定電圧を印加してＨＤＤユニット８に電力を供給する。このとき、ＨＤＤユニット８は、ＨＤＤ制御ＬＳＩ３３がその電力を用いてモータとアクチュエータとヘッドとを制御して、ＣＰＵ５により生成された情報を記録し、ＣＰＵ５により要求された情報をＣＰＵ５に出力する。
【００２７】
その情報漏洩を防止する動作は、ＲＯＭ６に記録されるＢＩＯＳにより示される処理であり、情報処理装置１０に所定の操作が実行されたときに実行される。すなわち、情報処理装置１０は、情報処理装置本体１の電源が入れられた直後に入力装置２のキーボードの「Ｆ２」キーが押下されたときに、そのＢＩＯＳを起動する。情報処理装置１０は、そのＢＩＯＳが起動すると、ディスプレイ３にＢＩＯＳセットアップメニュー画面４１を表示する。情報処理装置１０は、さらに、ユーザによる入力装置２の操作によりＢＩＯＳセットアップメニュー画面４１のクラッシュ表示欄４３が選択されたときに、ＨＤＤユニット８を書き込み（読み出し）モードに切り換え、制御ボード７を用いてＨＤＤユニット８に１２Ｖの規定外電圧を印加する。
【００２８】
ＨＤＤユニット８は、書き込み（読み出し）モードで１２Ｖの規定外電圧が印加されたときに、ＨＤＤ制御ＬＳＩ３３が電気的に破壊され、そのモータとアクチュエータとヘッドとを制御することができなくなる。ＨＤＤユニット８は、書き込み（読み出し）モードで１２Ｖの規定外電圧が印加されたときに、ＨＤＤユニット８が備えるコイルの導線を焼き切って、その導線がディスクに接触して傷をつけ、そのディスクに記録される情報を読み出すことができなくなる。ＨＤＤユニット８は、そのモータとアクチュエータとヘッドとを制御することができなくなると、さらに、そのディスクの回転が停止し、そのヘッドがディスクの磁性面に衝突して、そのディスクとヘッドとが物理的に壊れてしまい、そのディスクに記録される情報を読み出すことができなくなる。
【００２９】
すなわち、情報処理装置１０は、情報処理装置本体１からＨＤＤユニット８を取り外すことなしに、ＨＤＤユニット８による情報漏洩をより容易に、より安価に防止することができ、情報漏洩を防止する処理の時間をより短くすることができる。情報処理装置１０は、さらに、ＨＤＤユニット８が情報漏洩を防止する特殊な部品を備えていない汎用品であっても、ＨＤＤユニット８による情報漏洩をより容易に防止することができ、ＨＤＤユニット８をより安価に製造することができる。
【００３０】
ユーザは、その情報漏洩を防止する動作が実行された後に、情報処理装置１０を操作して、ＨＤＤユニット８から情報が漏洩しないことを確認することができる。すなわち、ユーザは、その情報漏洩を防止する動作が実行された後に、情報処理装置本体１の電源を入れた直後に入力装置２のキーボードの「Ｆ２」キーを押下する。このとき、情報処理装置１０は、ＢＩＯＳを起動して、ディスプレイ３にＢＩＯＳセットアップメニュー画面を表示する。そのＢＩＯＳセットアップメニュー画面５１は、ＨＤＤユニット８が正常に動作しないときに、図４に示されているように、ハードディスク名表示欄５２に何も表示されない。すなわち、ユーザは、ＢＩＯＳセットアップメニュー画面５１のハードディスク名表示欄５２にハードディスク名が記載されているか記載されていないかを判別することにより、ＨＤＤユニット８が正常に動作するか動作しないかを確認することができ、ＨＤＤユニット８による情報漏洩をより確実に防止することができる。
【００３１】
ＨＤＤ制御ＬＳＩ３３は、１２Ｖの規定外電圧を印加されるときに、ＩＣショートし、発火し、発煙し、または、破裂（バースト）することがある。情報処理装置１０は、ＨＤＤユニット８がＩＣショートしたときに、ヒューズ１６を用いて、その電源装置とＨＤＤユニット８との間に過電流が流れることを防止して、情報処理装置本体１が備える他の回路がその過電流の影響を受けないように、その回路を保護することができる。情報処理装置１０は、ＨＤＤユニット８が発火し、発煙し、または、破裂（バースト）したときに、保護カバー３２を用いて、情報処理装置本体１が備える他の回路がその影響を受けないように、その回路を保護することができる。情報処理装置１０は、その回路が破損されないことにより、ＨＤＤユニット８が正常に動作するか動作しないかをより確実に確認することができる。
【００３２】
本発明による情報処理装置の実施の他の形態は、既述の実施の形態における情報漏洩を防止する動作が他の動作に置換されている。その動作では、情報処理装置１０は、ＨＤＤユニット８を書き込み（読み出し）モードに切り換えないで、制御ボード７を用いてＨＤＤユニット８に１２Ｖの規定外電圧を印加する。このとき、ＨＤＤユニット８は、そのヘッドがディスクの磁性面に衝突しないで、そのディスクとヘッドとが物理的に壊れないことがあるが、ＨＤＤ制御ＬＳＩ３３電気的に破壊され、そのディスクに記録される情報を読み出すことができなくなる。ＨＤＤユニット８は、１２Ｖの規定外電圧が印加されたときに、ＨＤＤユニット８が備えるコイルの導線を焼き切って、その導線がディスクに接触して傷をつけ、そのディスクに記録される情報を読み出すことができなくなることがある。すなわち、このような動作によれば、既述の実施の形態における情報漏洩を防止する動作と同様にして、その記憶装置に記録される情報の漏洩をより容易に、より速く、より安価に防止することができる。
【００３３】
本発明による情報処理装置の実施のさらに他の形態は、既述の実施の形態における情報処理装置１０のＨＤＤユニット８が他の記憶装置に置換されている。その記憶装置としては、フラッシュＲＯＭ、ＭＯが例示される。このような情報処理装置は、既述の実施の形態における情報処理装置１０と同様にして、その記憶装置に記録される情報の漏洩をより容易に、より速く、より安価に防止することができる。
【００３４】
本発明による情報処理装置の実施のさらに他の形態は、既述の実施の形態におけるＨＤＤユニット８が保護カバー３２を備えていない他のＨＤＤユニットに置換されている。このような情報処理装置は、ＨＤＤ制御ＬＳＩ３３が発火し、発煙し、または、破裂しても他の回路に影響が及ばないような位置にＨＤＤ制御ＬＳＩ３３が配置されているときに適用され、既述の実施の形態における情報処理装置１０と同様にして、その記憶装置に記録される情報の漏洩をより容易に、より速く、より安価に防止することができる。
【図面の簡単な説明】
【００３５】
【図１】図１は、本発明による情報処理装置の実施の形態を示すブロック図である。
【図２】図２は、ＨＤＤユニットを示す斜視図である。
【図３】図３は、ＢＩＯＳセットアップメニュー画面を示す図である。
【図４】図４は、情報漏洩を防止する動作が実行された後に表示されるＢＩＯＳセットアップメニュー画面を示す図である。
【図５】図５は、情報処理装置から情報漏洩を防止する公知の動作を示す図である。
【符号の説明】
【００３６】
１  ：情報処理装置本体
２  ：入力装置
３  ：ディスプレイ
５  ：ＣＰＵ
６  ：ＲＯＭ
７  ：制御ボード
８  ：ＨＤＤユニット
１０：情報処理装置
１１：ＬＳＩ
１２：インバータ
１４：ＦＥＴ
１５：ＦＥＴ
１６：ヒューズ
１７：ノード
１８：ノード
１９：ノード
２０：ノード
２１：ケーブル
２２：信号
２３：信号
３１：ＨＤＤユニット本体
３２：保護カバー
３３：ＨＤＤ制御ＬＳＩ
３４：電気部品面
４１：ＢＩＯＳセットアップメニュー画面
４２：ハードディスク名表示欄
４３：クラッシュ表示欄
【図１】
2008152693.tif 000003
【図２】
2008152693.tif 000004
【図３】
2008152693.tif 000005
【図４】
2008152693.tif 000006
【図５】
2008152693.tif 000007